(57)【要約】【課題】  印画紙の感光面の側に印画紙を案内するガイド体が近接する状態が長時間に亘って継続する場合にプリントの品質を低下させない写真プリント装置を構成する。【解決手段】  印画紙Ｐを案内するガイド機構Ｇが、印画紙Ｐの感光面側に配置される感光面側ガイド体２２と、基材側に配置される基材側ガイド体２３とで構成され、感光面側ガイド体２２の印画紙搬送方向での下流側の端部２２Ｔの部位を、そのガイド面２２Ｓが印画紙Ｐの感光面Ｐａから離間する緩傾斜姿勢に形成した。【選択図】        図３
2006145747.tif 000002
【特許請求の範囲】
【請求項１】
印画紙に画像情報を露光する露光部を備え、この露光部に対して印画紙を供給する搬送部を備えている写真プリント装置であって、
前記搬送部が、印画紙に搬送力を作用させる搬送機構と、印画紙を案内するガイド機構とを備えて構成されると共に、前記ガイド機構として、前記印画紙の感光面側に配置された感光面側ガイド体を備え、この感光面側ガイド体において前記印画紙の感光面と対向するガイド面を、印画紙の搬送方向での端部側ほど印画紙から離間する緩傾斜姿勢に形成している写真プリント装置。
【請求項２】
前記搬送部が、印画紙マガジンに収容されたロール状の印画紙をプリントサイズに切断するカッターユニットに送る部位に配置され、この搬送部を構成する前記感光面側ガイド体が板状材を用いて形成され、この感光面側ガイド体における前記カッターユニットに臨む側の端部を、その下流側ほど前記印画紙の感光面から離間する緩傾斜姿勢となるように折り曲げ成形してある請求項１記載の写真プリント装置。
【請求項３】
印画紙に画像情報を露光する露光部を備え、この露光部に対して印画紙を供給する搬送部を備えている写真プリント装置であって、
前記搬送部が、印画紙に搬送力を作用させる搬送機構と、印画紙を案内するガイド機構とを備えて構成されると共に、前記ガイド機構が、印画紙の幅方向で少なくとも一方の端部に配置され、かつ、印画紙の基材側に配置される基材側ガイド体と、印画紙の感光面側に配置される感光面側ガイド体とを一体化したガイド部材を備えて構成され、前記感光面側ガイド体は、印画紙の感光面と対向するガイド面が、印画紙の幅方向での中央側ほど印画紙から離間する緩傾斜姿勢に形成してある写真プリント装置。
【請求項４】
前記搬送部が、印画紙マガジンに収容されたロール状の印画紙を搬送する位置に配置され、前記ガイド部材が、前記搬送部で搬送される印画紙の幅方向での両端位置を案内するように一対備え、この一対のガイド部材の対向する距離を、前記搬送部に搬送される印画紙の幅に対応した値に設定する制御手段を備えている請求項３記載の写真プリント装置。
【発明の詳細な説明】
【技術分野】
【０００１】
本発明は、印画紙に画像情報を露光する露光部を備え、この露光部に対して印画紙を供給する搬送部を備えている写真プリント装置に関する。
【背景技術】
【０００２】
従来からの写真プリント装置では、上記のように搬送部によって印画紙を露光部に搬送するよう構成されている。また、搬送部は印画紙を圧着して搬送する搬送ローラと、印画紙の搬送経路を設定するガイド機構とを備えるのが普通である。その一例として、印画紙の表裏夫々の位置にガイド部材を配置し、このガイド部材の開口部に対して搬送ローラを配置し、この搬送ローラの圧着によって搬送される印画紙をガイド部材によって厚さ方向での位置を決めた状態で搬送するものが存在する（例えば、特許文献１参照）。
【０００３】
また、写真プリント装置において、露光時に印画紙を支持する露光台と、この露光台と対向する位置の感光材料案内板とで印画紙を案内する機構を構成し、この感光材料案内板をバネ付き蝶番で遮光位置と非遮光位置とに開閉自在に支持し、更に、この感光案内板にソレノイドからの駆動力をリンク部から伝えることによって開閉操作する駆動系を形成したものが存在する（特許文献２参照）。この特許文献２では、前記感光材料案内板は印画紙の搬送方向で上流側が露光台から離間する形状となるように折り曲げられ、湾曲状態の印画紙でも露光位置に搬送し、湾曲状態を解消することが可能となり、この搬送の後には感光材料案内板を非遮光位置に切り換えて光源部からの光線によって露光を行えるよう構成されている。
【０００４】
【特許文献１】特開平５‐１０４７９９号公報（段落番号〔０００７〕〜〔００１０〕、図１、図２）
【特許文献２】特開２０００‐１４７６７０号公報  （段落番号〔００２０〕〜〔００３４〕、図１）
【発明の開示】
【発明が解決しようとする課題】
【０００５】
写真プリント装置での印画紙の処理形態として、長尺の印画紙をカッターユニットでプリントサイズに切断した後に、露光部に送り込んで露光を行い、この露光後の印画紙を現像処理部に送り込むように処理シーケンスを設定したものが存在する。このように処理を行う写真プリント装置でオーダの処理を行う際には、印画紙をカッターユニットに送ってプリントサイズに切断して露光部に送り込むものの、オーダの処理を行わない場合には、印画紙の搬送方向でのカッターユニットの上流位置に印画紙の先端を待機させることになる。
【０００６】
また、写真プリント装置において、カッターユニットに印画紙を搬送する系にガイド機構が配置され、このガイド機構が、印画紙の基材側のガイド体と、感光面側のガイド体とで構成したされているものもの存在する。このようにガイド機構が構成された写真プリント装置において、前述したようにオーダの処理を行わない場合には、カッターユニットの上流位置のガイド機構の部位に印画紙が長時間待機することもある。しかしながら、印画紙がガイド体から引き出された状態が長時間継続する場合には、ガイド体から引き出された部位の印画紙の発色の濃度が高まることがあった。
【０００７】
このように発色の濃度が高まる理由は不明であるが、印画紙の感光面にガイド体が近接する部位と比較して、このガイド体から外部に露出する部位では現像処理後の濃度が高くなる現象が確認されている。つまり、ガイド機構の部位に印画紙を長時間待機させた後に、その印画紙を露光処理し、現像処理した後には、ガイド体で覆われた領域と、ガイド体から張り出した領域との境界が視覚的に明らかに判別でき、プリントの品質を低下させていたと推測される。このような不都合が確認されているものの、従来からの写真プリント装置では、前述した不都合を解消するための改善が図られておらず、プリントの品質を低下させる不都合を回避できないものであった。
【０００８】
本発明の目的は、印画紙の感光面の側に印画紙を案内するガイド体が近接する状態が長時間に亘って継続する場合にも、プリントの品質を低下させることのない写真プリント装置を合理的に構成する点にある。
【課題を解決するための手段】
【０００９】
本発明の特徴は、印画紙に画像情報を露光する露光部を備え、この露光部に対して印画紙を供給する搬送部を備えている写真プリント装置において、
前記搬送部が、印画紙に搬送力を作用させる搬送機構と、印画紙を案内するガイド機構とを備えて構成されると共に、前記ガイド機構として、前記印画紙の感光面側に配置された感光面側ガイド体を備え、この感光面側ガイド体において前記印画紙の感光面と対向するガイド面を、印画紙の搬送方向での端部側ほど印画紙から離間する緩傾斜姿勢に形成している点にある。
【００１０】
この構成により、印画紙が感光面側ガイド体の外部に張り出した位置に長時間に亘って待機する状態が継続した場合でも、感光面側ガイド体の端部位置を印画紙の感光面から離間する傾斜姿勢に形成しているので、感光面側ガイド体から最も張り出した位置の感光面と、前記ガイド体のガイド面に近接する感光面との発色に濃度差を生ずるものの、印画紙の感光面のうち感光面側ガイド体の案内面に近接する位置ほど濃度差を小さくすることが可能となる。つまり、感光面側ガイド体の案内面の姿勢の設定により、感光面側ガイドから張り出した感光面と、感光面側ガイドで覆われる位置の感光面との境界位置での発色の濃度差を低減して、この境界位置の判別を行い難くする。その結果、印画紙が感光面側ガイド体の外部に張り出した位置に長時間に亘って待機する状態が継続した場合にも、プリントの品質を低下させることのない写真プリント装置が合理的に構成された。
【００１１】
本発明は、前記搬送部が、印画紙マガジンに収容されたロール状の印画紙をプリントサイズに切断するカッターユニットに送る部位に配置され、この搬送部を構成する前記感光面側ガイド体が板状材を用いて形成され、この感光面側ガイド体における前記カッターユニットに臨む側の端部を、その下流側ほど前記印画紙の感光面から離間する緩傾斜姿勢となるように折り曲げ成形しても良い。
【００１２】
この構成により、印画紙マガジンに収容された長尺の印画紙を引き出し、カッターユニットでプリントサイズに切断して用いるものでは、オーダの処理を行う以前に、その印画紙の先端をカッターユニットより上流側に待機させることも多いのであるが、本発明によると、印画紙の搬送方向でカッターユニットより上流側に印画紙を待機させる状態が長時間継続した場合でも、印画紙の先端側に配置された感光面側ガイド体が、端部側ほど感光面から緩傾斜で離間するので、感光面側ガイド体から印画紙の感光面に対する影響を、この感光面側ガイド体の端部側ほど小さくすることにより、感光面側ガイドが存在しない領域との境界位置での発色の濃度差を低減して、この境界位置の判別を行い難くする。
【００１３】
本発明は、印画紙に画像情報を露光する露光部を備え、この露光部に対して印画紙を供給する搬送部を備えている写真プリント装置において、
前記搬送部が、印画紙に搬送力を作用させる搬送機構と、印画紙を案内するガイド機構とを備えて構成されると共に、前記ガイド機構が、印画紙の幅方向で少なくとも一方の端部に配置され、かつ、印画紙の基材側に配置される基材側ガイド体と、印画紙の感光面側に配置される感光面側ガイド体とを一体化したガイド部材を備えて構成され、前記感光面側ガイド体は、印画紙の感光面と対向するガイド面を、印画紙の幅方向での中央側ほど印画紙から離間する緩傾斜姿勢に形成して良い。
【００１４】
この構成により、印画紙がガイド部材の位置に長時間に亘って待機する状態が継続した場合でも、感光面側ガイド体のガイド面を印画紙の幅方向での中央側ほど感光面から離間する傾斜姿勢に形成しているので、印画紙の幅方向での中央位置の感光面と、感光面側ガイド体に近接する感光面との発色に濃度差を生ずるものの、印画紙の感光面のうち感光面側ガイド体の案内面に近接する位置ほど濃度の高まりを抑制することが可能となる。つまり、感光面側ガイド体の案内面の姿勢の設定により、感光面側ガイドで覆われない位置の感光面と、感光面側ガイドで覆われる位置の感光面との境界位置での発色の濃度差を低減して、この境界位置の判別を行い難くする。その結果、印画紙がガイド部材が存在しない位置に長時間に亘って待機する状態が継続した場合にも、プリントの品質を低下させることのない写真プリント装置が合理的に構成された。
【００１５】
本発明は、前記搬送部が、印画紙マガジンに収容されたロール状の印画紙を搬送する位置に配置され、前記ガイド部材が、前記搬送部で搬送される印画紙の幅方向での両端位置を案内するように一対備え、この一対のガイド部材の対向する距離を、前記搬送部に搬送される印画紙の幅に対応した値に設定する制御手段を備えても良い。
【００１６】
この構成により、一対のガイド部材同士の間隔を、印画紙マガジンから送られる印画紙の幅に対応する位置にセットすることにより、ガイド部材によって印画紙を案内することが可能となる。
【発明を実施するための最良の形態】
【００１７】
以下、本発明の実施形態を図面に基づいて説明する。
図１に示すように、銀塩式の印画紙Ｐに対して画像情報の露光を行う露光部Ｅｘと、この露光部Ｅｘで露光された印画紙Ｐの現像処理を行う現像部Ｄｅと、現像処理後の印画紙Ｐを乾燥して送り出す乾燥部Ｄｒとを暗箱構造の筐体１に備えて写真プリント装置が構成されている。
【００１８】
この写真プリント装置は、前記筐体１のうち前記露光部Ｅｘの部位においてモニター２と光源ユニット１０とを備え、前記光源ユニット１０にはフィルムキャリア１３を装着できるように構成されている。この写真プリント装置は、現像済みの写真フィルム（図示せず）をフィルムキャリア１３にセットし、その写真フィルムの画像から粗い画像情報をコマ単位で取り込んで、プレジャッジ画面として前記筐体上部のモニター２に表示し、この表示に基づいてプリント枚数の設定や、補正条件の設定を行えるものである。この設定の後には、設定に基づき露光部Ｅｘにセットされた印画紙Ｐに対して前記写真フィルムの画像情報の露光を行い、この露光が行われた印画紙Ｐを前記現像部Ｄｅに搬送して現像処理を行い、この後、前記乾燥部Ｄｒにおいて乾燥した後に、この乾燥部Ｄｒの上部位置から筐体外部のベルトコンベア３上に送り出すように処理の順序が設定されている。
【００１９】
前記露光部Ｅｘは、光源ユニット１０の内部に配置されたハロゲンランプ１１からの光線の光量をミラートンネル１２で平均化してフィルムキャリア１３に送り出すように構成されると共に、このフィルムキャリア１３に支持された写真フィルムを透過した光線を前記筐体１の内部に備えた光学レンズ１４で露光位置Ｘに結像させ、シャッター１５によって露光時間を設定できるように構成されている。また、ハロゲンランプ１１と露光位置Ｘとを結ぶ光軸Ｌ上に前記フィルムキャリア１３と、光学レンズ１４と、シャッター１５とが配置され、露光位置Ｘは露光搬送機構Ａの上面位置にセットされ、この露光位置Ｘには露光搬送機構Ａによってプリントサイズに切断された印画紙Ｐが送り込まれ、露光後には露光搬送機構Ａによって送り出されるように構成されている。
【００２０】
前記フィルムキャリア１３には写真フィルムの画像情報を光電変換によって粗く取得するセンサユニット（図示せず）を備え、このセンサユニットで取込んだ画像情報を前記モニター２にプレジャッジ画面として表示する処理装置（図示せず）を筐体１の内部に備えている。この処理装置には、印画紙Ｐの搬送と印画紙Ｐに対する露光処理とを実現するプログラムがセットされている。
【００２１】
図１及び図２に示すように、露光部Ｅｘにおける筐体１の内部には長尺の印画紙Ｐを収容する印画紙マガジンＭの印画紙Ｐを送る圧着型のアドバンスローラ２０（搬送機構の一例）と、このアドバンスローラ２０で搬送される印画紙Ｐを案内するガイド機構Ｇと、印画紙Ｐをプリントサイズに切断するように固定刃２１Ａと可動刃２１Ｂとを備えて成るカッターユニット２１と、このカッターユニット２１でプリントサイズに切断された印画紙Ｐを前記露光位置Ｘに送るベルト式の前記露光搬送機構Ａと、この露光搬送機構Ａで露光された印画紙Ｐの表裏を反転させて搬送する反転ユニットＢとを備えている。尚、前記アドバンスローラ２０（搬送機構）とガイド機構Ｇとで搬送部が構成されている。
【００２２】
前記アドバンスローラ２０は、ステッピング型の供給モータ２０Ｍからの駆動力により正逆夫々の方向に回転自在に構成され、このアドバンスローラ２０は、外周に圧着する複数の圧着ローラ２０Ａを備えている。
【００２３】
前記ガイド機構Ｇは、前記印画紙Ｐの感光面Ｐａの側に配置される感光面側ガイド体２２と、印画紙Ｐの基材Ｐｂの側に配置される基材側ガイド体２３とを備えて構成されている。このガイド機構Ｇは、前記印画紙マガジンＭで使用される最大幅の印画紙Ｐを案内できるように、この最大幅の印画紙Ｐの幅より少し広い幅の材料が用いられ、印画紙Ｐを案内する場合には、感光面側ガイド体２２と基材側ガイド体２３とを印画紙Ｐの全幅に近接させた状態となる。また、ガイド機構Ｇを構成するものではないが、カッターユニット２１と露光搬送機構Ａとの中間位置には印画紙Ｐの基材Ｐｂを案内する中間ガイド２４を備えている。
【００２４】
前記感光面側ガイド体２２は、前記印画紙マガジンＭからの印画紙Ｐを前記アドバンスローラ２０の部位まで垂直上方に案内し、このアドバンスローラ２０の外周に沿って案内し、その搬送方向を水平方向に方向を変換して前記カッターユニット２１の近傍まで案内するように湾曲する形状に成形されている。また、前記基材側ガイド体２３は、前記印画紙マガジンＭからの印画紙Ｐを前記アドバンスローラ２０の部位まで垂直上方に案内する上流側ガイド体２３Ｆと、アドバンスローラ２０からの印画紙Ｐを水平方向に案内する下流側ガイド体２３Ｒとで構成されている。前記感光面側ガイド体２２と基材側ガイド体２３とは印画紙Ｐを案内するに必要な間隔を隔てた位置関係で配置されている。
【００２５】
尚、前記感光面側ガイド体２２は、前記アドバンスローラ２０より搬送方向での上流側と下流側とにおいて分割した構造でも良く、このガイド機構Ｇで印画紙Ｐを案内する領域に対して印画紙Ｐを搬送する複数の搬送ローラを備えても良い。
【００２６】
前記露光搬送機構Ａは、２つの遊転プーリ２５と１つの駆動プーリ２６とに対して多数の通気孔を有した搬送ベルト２７を巻回し、この搬送ベルト２７の搬送方向で上流位置と下流位置とに圧着ローラ２８を配置し、また、駆動プーリ２６を駆動するステッピングモータで成る搬送モータ２６Ｍと、搬送ベルト２７の搬送域の裏面側にダクト２９を介して負圧を作用させる吸引ファン３０とを備えている。このような構造であるため、搬送ベルト２７の搬送面に印画紙Ｐを吸着させて露光位置Ｘに搬送し、また、この露光位置Ｘから印画紙Ｐ送り出し得るものとなる。因みに、露光位置Ｘにセットされた印画紙Ｐに対し主として文字情報の露光を行うよう、露光搬送機構Ａにおける印画紙Ｐの搬送方向と平行する方向に移動自在で、デジタル式に露光を行う露光ヘッド３１を備えている。
【００２７】
前記反転ユニットＢは、露光済みの印画紙Ｐを受け取るチャックローラ３２を備えると共に、このチャックローラ３２からの印画紙Ｐを搬送するように多数のローラを有して成る搬送処理部３３を備えている。
【００２８】
前記現像部Ｄは、印画紙Ｐの現像処理を行う複数の処理槽３５と、夫々の処理槽３５に印画紙Ｐを送るように多数のローラを有した搬送ユニット３６とを備えている。また、乾燥部Ｄｒは、現像処理後の印画紙Ｐに乾燥風を送るブロア４０と、印画紙Ｐを送る多数の圧着ローラ４１とを備えており、この乾燥部Ｄｒで乾燥した印画紙Ｐは、筐体上部位置から前記ベルトコンベア３上に排出され、このベルトコンベア３から仕分けベルトやソータ等（図示せず）に送り出され、オーダ単位で仕分けた状態で回収されるように構成されている。
【００２９】
以上のように説明した写真プリント装置は、従来からのものと基本的に変わるものではなく、本発明の写真プリント装置では、先のオーダの処理と後のオーダの処理との間の時間が長時間化した場合のように、前記ガイド機構Ｇの部位で長時間待機した印画紙Ｐの発色の濃度が高まった場合でもプリントの品質を低下させない構造を採用した点に特徴を有するものである。
【００３０】
つまり、この種の写真プリント装置では、１つのオーダを処理する場合には、印画紙Ｐをカッターユニット２１に送ってオーダで設定されたプリントサイズに切断した後に、その印画紙Ｐを露光搬送機構Ａで露光位置Ｘに搬送して露光を行う処理を反復して行うように処理形態が設定されているため、先のオーダの処理が終了した後に、次のオーダの処理を開始するまでに長時間が経過した場合には、ガイド機構Ｇの部位に印画紙の先端部が待機することになる。
【００３１】
また、前記感光面側ガイド体２２が印画紙の感光面Ｐａ（図３を参照）に近接する構造のものにおいて、この感光面側ガイド体２２から印画紙Ｐが搬送方向に張り出す場合ものでは、このように印画紙Ｐの搬送方向に張り出した部位と、感光面側ガイド体２２に覆われた位置との発色が異なる現象に起因して、プリントの品質を低下させるものとなっていた。
【００３２】
この発色の不揃いは印画紙Ｐが空気に接触することによる酸化作用や、露光時に漏れる僅かな光線によるカブリ作用や、感光面側ガイド体２２から印画紙Ｐに対する何らかの作用を考えることができるが、正確な理由は不明である。また、感光面側ガイド体２２に覆われていない部分については、待機時間が長いほど現像処理後の濃度が高まる傾向にあり、また、印画紙Ｐの感光面Ｐａと、感光面側ガイド体２２との距離が小さいほど、発色の濃度の高まりの程度は小さく、この距離が大きいほど発色の濃度が、より高まる傾向となる。このような発色の濃度差による品質低下を解消するために、本発明の写真プリント装置では、以下のようにガイド機構Ｇの感光面側ガイド体２２を構成している。
【００３３】
つまり、図３及び図４に示すように、前記感光面側ガイド体２２は、印画紙Ｐの搬送方向での端部２２Ｔ、つまり、前記カッターユニット２１に臨む部位において、感光面Ｐａと対向するガイド面２２Ｓが、印画紙Ｐの搬送方向での下流側ほど印画紙Ｐの感光面Ｐａから離間するように緩傾斜姿勢に形成されている。このように緩傾斜姿勢に設定された部位は、感光面側ガイド体２２の端部側を全幅に亘って折り曲げることによって形成されおり、この緩傾斜姿勢の部位を領域Ｙとすると、領域Ｙは長いほど良いが、印画紙Ｐをガイドする性能を低下させない程度の距離に設定されている。
【００３４】
因みに、前記基材側ガイド体２３と感光面側ガイド体２２とはステンレスのように比較的剛性が高く、腐蝕し難い性質の金属板（板状材の一例）を加工することにより形成されたものであり、感光面側ガイド体２２における緩傾斜姿勢の部位は、金属板を折り曲げることにより形成されている。また、前記基材側ガイド体２３と感光面側ガイド体２２とは黒色の塗料を塗布したものであっても良い。
【００３５】
前記緩傾斜姿勢の角度θは、基材側ガイド体２３を基準にして１０度程度に設定されているが、この角度θは１０度に限るものではなく、１０度未満であっても、１０度以上であっても良い。また、このガイド面は、図４に示す方向視で直線的に形成する必要はなく、図３に示す方向視で下に凸となる湾曲形状や、上に凸となる湾曲形状であっても良い。
【００３６】
この搬送系では、印画紙Ｐの露光処理を行う場合には印画紙マガジンＭの支軸Ｍａと、印画紙マガジンＭの圧着ローラＭｂとを送り出し方向へ回転駆動し、印画紙マガジンＭに収容していた印画紙Ｐを上方に送り出す（このように印画紙Ｐを送り出す場合には前記アドバンスローラ２０も同時に駆動される）。このように送り出された印画紙Ｐは、ガイド機構Ｇに沿ってアドバンスローラ２０に導かれ、アドバンスローラ２０の駆動により、ガイド機構Ｇからカッターユニット２１に導かれ、更に、中間ガイド２４を介して露光搬送機構Ａに案内され、この露光搬送機構Ａの端部において搬送ベルト２７と圧着ローラ２８とで圧着される位置まで搬送される。
【００３７】
このように搬送ベルト２７と圧着ローラ２８とで印画紙Ｐを圧着する際には、印画紙Ｐの搬送速度（アドバンスローラ２０の搬送速度）と、同じ速度で露光搬送機構Ａの搬送ベルト２７を駆動しており、搬送を継続することにより、前記カッターユニット２１の切断位置を基準にして露光搬送機構Ａの側に送り出された印画紙Ｐの搬送量がプリントサイズに達したタイミングで印画紙Ｐの搬送を停止し、カッターユニット２１の作動によって印画紙Ｐの切断が行われ、印画紙Ｐがプリントサイズに切断されることになる。このようにプリントサイズに切断された印画紙Ｐは前記搬送ベルト２７の駆動により前記露光位置Ｘに送り込まれることになる。
【００３８】
決まったサイズの印画紙Ｐのプリントを連続して行う場合には、前述した制御を連続して行うことになり、また、オーダの処理が終了した時点では図３に示すように、印画紙Ｐの先端がカッターユニット２１における切断位置に達する位置関係で待機する。この待機状態では、この印画紙Ｐの先端が感光面側ガイド体２２の搬送方向での下流側の端部２２Ｔから印画紙Ｐの搬送方向での下流側に張り出した姿勢になる。
【００３９】
因みに、所定のオーダの処理が終了した後に、異なる幅の印画紙Ｐのプリント処理を行う場合には、引き出し状態にある印画紙Ｐを印画紙マガジンＭ内に巻き戻した後に印画紙マガジンＭの交換を行うことになる。また、印画紙マガジンＭを交換せず、先のオーダを終了した後に、次のオーダの処理を開始するまでに長時間経過した場合には、感光面側ガイド体２２から印画紙Ｐの搬送方向に引き出された部位の印画紙Ｐの発色の濃度が高まるが、この印画紙Ｐの先端部の感光面Ｐａに対向するガイド面２２Ｓが緩傾斜姿勢にあるため、この濃度が高まっても、この濃度の高まりは先端側（印画紙Ｐの搬送方向での下流側）から、印画紙Ｐの搬送方向での上流側に向けて徐々に改善するものとなり、夫々の濃度差を小さくし、境界位置を判別し難くしてプリントの品質低下を抑制する。
【００４０】
このように、本発明によると印画紙Ｐの感光面Ｐａの側を案内する感光面側ガイド体２２の搬送方向での下流側の端部２２Ｔに連なる部位を緩傾斜姿勢となるように成形するという、簡単でコスト上昇を招くことのない改良を行うだけで、オーダの処理とオーダの処理との間の時間が長くなった場合のように、ガイド機構Ｇの部位において印画紙Ｐの一部が感光面側ガイド体２２から張り出す位置関係で待機し、この後、露光処理が行われてプリントされた場合にも、感光面側ガイド体２２で覆われた部位と、感光面側ガイド体２２から張り出した部位との境界位置を判別し難くして、品質を低下させることのないプリントを得るのである。
【００４１】
〔別実施の形態〕
本発明は、上記した実施の形態以外に以下のように構成しても良い（この別実施の形態では前記実施の形態と同じ機能を有するものには、実施の形態と共通の番号、符号を付している）。
【００４２】
（イ）図５に示すように、ガイド機構Ｇとして、印画紙Ｐの幅方向での両端（何れか一方に配置されるものであっても良い）にガイド部材Ｇａを配置する。このガイド部材Ｇａは印画紙Ｐの感光面Ｐａの側に配置される感光面側ガイド体２２と、印画紙Ｐの基材側に配置される基材側ガイド体２３とを一体化した構造を具備している。この一対のガイド部材Ｇａの幅方向での外方位置にはフレーム５０を配置しており、一対のガイド部材Ｇａにはブラケット５１を備えている。このブラケット５１に短いガイドチューブ５２と、ナット５３とを備え、フレーム５０に支持されたガイドロッド５４をガイドチューブ５２に挿通することにより一対のガイド部材Ｇａを印画紙Ｐの幅方向に案内し、フレーム５０に回転自在に支持したネジ軸５５にナット５３を螺合させることにより一対のガイド部材Ｇａを同時に印画紙Ｐの幅方向に移動できるよう構成している。
【００４３】
前記ネジ軸５５の両端部には左ネジ部と右ネジ部とを形成し、この左ネジ部と右ネジ部と夫々に前記ナット５３を螺合させることにより、一対のガイド部材Ｇａを同時に逆方向に移動できるように構成しており、このネジ軸５５をギヤ５６を介して駆動する幅調節モータ５７を備え、この幅調節モータ５７を制御する制御手段としての制御装置５８を備えている。尚、図面には示していないが、このガイド機構Ｇは実施の形態と同様にアドバンスローラで搬送される印画紙Ｐをガイドする位置に配置されるものであり、このガイド機構Ｇの下流側にカッターユニットが配置されることになる。
【００４４】
前記感光面側ガイド体２２は、印画紙Ｐの幅方向での中央側に端部２２Ｔが形成されると共に、この端部２２Ｔ側ほど印画紙Ｐから離間する緩傾斜姿勢に形成してある。つまり、この感光面側ガイド体２２の部位においても、実施形態で説明したものと同様に緩傾斜姿勢の領域Ｙが形成されている。このような構造であるため、このガイド機構Ｇの部位に印画紙Ｐが長時間待機する状況の後に、露光が行われてプリントを得た場合にも印画紙Ｐの幅方向での中央側の発色の濃度が高くとも、この発色の濃度が高い領域と、適正な発色となる印画紙Ｐの幅方向での端部の領域との間の発色の濃度差が徐々に改善する形態となり、発色の濃度が高い領域と適正な発色となる領域との境界位置を判別し難くしてプリントの品質を低下させないものになる。
【００４５】
（ロ）感光面側ガイド体２２の搬送方向での下流側の端部２２Ｔを緩傾斜姿勢に形成すると同時に、この端部２２Ｔを図６に示すように、波状となるように成形する。このように端部２２Ｔを波状となるように成形することによって発色の濃度が高い領域と適正な発色となる領域との境界を一層判別し難くする。このように端部２２Ｔを波状に成形する構成は、図５に示されるように、ガイド機構Ｇとして印画紙Ｐの幅方向に一対のガイド部材Ｇａを備えたものに適用することが可能であり、この場合、幅方向での中央側の端部２２Ｔが波状に成形されることになる。
【００４６】
（ハ）印画紙Ｐの搬送方向での搬送方向の上流側が感光面側ガイド体２２に覆われない状態で待機する構造のものにおいて、この感光面側ガイド体２２の搬送方向での上流側の部位に、感光面Ｐａに対向するガイド面２２Ｓが緩傾斜姿勢となる領域を形成するよう構成しても良い。
【産業上の利用可能性】
【００４７】
予めプリントサイズに切断されたシート状の印画紙をプリント処理の対象としても良い。また、露光部としてレーザビームを主走査方向に走査する形態で露光を行うよう構成した写真プリント装置の印画紙搬送機構に利用できる。
【図面の簡単な説明】
【００４８】
【図１】写真プリント装置の縦断正面図
【図２】印画紙マガジンからの印画紙の搬送系を示す断面図
【図３】ガイド機構の構造を示す拡大断面図
【図４】カッターユニットの近傍の印画紙の搬送系を示す斜視図
【図５】別実施の形態（イ）のガイド機構を示す断面図
【図６】別実施の形態（ロ）の感光面側ガイド体の形状を示す斜視図
【符号の説明】
【００４９】
２０          搬送部：アドバンスローラ
２１          カッターユニット
２２          感光面側ガイド体
２２Ｓ        ガイド面
２３          基材面側ガイド体
５８          制御手段：制御装置
Ｅｘ          露光部
Ｇ            ガイド機構
Ｇａ          ガイド部材
Ｍ            印画紙マガジン
Ｐ            印画紙
Ｐａ          感光面
【図１】
2006145747.tif 000003
【図２】
2006145747.tif 000004
【図３】
2006145747.tif 000005
【図４】
2006145747.tif 000006
【図５】
2006145747.tif 000007
【図６】
2006145747.tif 000008